【手続補正書】
【提出日】平成25年4月1日(2013.4.1)
【手続補正１】
【補正対象書類名】特許請求の範囲
【補正対象項目名】全文
【補正方法】変更
【補正の内容】
【特許請求の範囲】
【請求項１】
人工関節を備え、
前記人工関節が、自然大腿骨骨頭又は人工大腿骨骨頭と関節を成すために自然寛骨臼内の移植に適するようにサイズ決めされ、かつ形作られた寛骨臼カップを含み、
前記寛骨臼カップが、
第１の幾何学的中心を定める略半球形状の外壁と、
前記寛骨臼カップを寛骨臼内に移植した後であって前記自然大腿骨骨頭又は人工大腿骨骨頭をソケット内に配置した後に、前記自然大腿骨骨頭又は人工大腿骨骨頭の回転中心を自然な解剖学的位置に向けて配置するように前記第１の幾何学的中心からズレて配置された第２の幾何学的中心を定めるソケットと、
前記外壁と前記ソケットとの間に延在し、かつ第１のレリーフを画成するカップ縁部と
を有している、システム。
【請求項２】
前記第１のレリーフは前記ソケットに隣接している、請求項１に記載のシステム。
【請求項３】
前記ソケットが自然大腿骨骨頭用又は人工大腿骨骨頭用の軸受け表面をさらに含んでいる、請求項１に記載のシステム。
【請求項４】
前記ソケットが寛骨臼カップライナーをさらに含んでいる、請求項１に記載のシステム。
【請求項５】
前記第１のレリーフが平坦な表面を含んでいる、請求項１に記載のシステム。
【請求項６】
前記カップ縁部が第２のレリーフをさらに画成している、請求項１に記載のシステム。
【請求項７】
前記第２のレリーフが平坦な表面を含んでいる、請求項６に記載のシステム。
【請求項８】
前記第１のレリーフ及び前記第２のレリーフが交差している、請求項６に記載のシステム。
【請求項９】
前記寛骨臼カップが、複数のネジを受けるようにサイズ決めされかつ形作られた複数の開口孔をさらに含み、
前記開口孔の少なくともいくつかは、前記カップ縁部の平面に対して垂直である前記略半球形状の外壁の幾何学的中心軸に対して非平行に配向された軸に沿って前記第１のレリーフ上に位置している、請求項１に記載のシステム。
【請求項１０】
人工関節を備え、
前記人工関節が、自然大腿骨骨頭又は人工大腿骨骨頭と関節を成すために自然寛骨臼内の移植に適するようにサイズ決めされ、かつ形作られた寛骨臼カップを含み、
前記寛骨臼カップが、
幾何学的中心を定める略半球形状の外壁と、
前記寛骨臼カップを自然寛骨臼内に移植した後、股関節の回転中心を自然な解剖学的位置に向けて修復するように配置された第１の幾何学的中心からズレて配置された第２の幾何学的中心を定めるソケットと、
前記略半球形状の外壁と前記ソケットとの間に延在し、かつ第１のネジを受けるように構成された第１の開口孔を含むカップ縁部と
を含み、
前記第１の開口孔が、前記寛骨臼カップの略半球形状の外壁の幾何学的中心を通る軸に対して非平行な軸に沿って配向されている、システム。
【請求項１１】
前記カップ縁部が第１のレリーフをさらに画成している、請求項１０に記載のシステム。
【請求項１２】
前記第１の開口孔が前記第１のレリーフと直交している、請求項１１に記載のシステム。
【請求項１３】
前記カップ縁部が第２の開口孔をさらに含み、
前記第２の開口孔は、前記カップ縁部に対して非平行であり、かつ前記外壁の幾何学的中心に対して放射状となっている、請求項１０に記載のシステム。
【請求項１４】
前記寛骨臼カップが、前記ソケット内に配置された複数の開口孔をさらに含んでいる、請求項１０に記載のシステム。
【請求項１５】
寛骨臼内の移植に適するようにサイズ決めされ、かつ形作られた略半球形状の外側表面部分を含む寛骨臼カップを備え、
前記略半球形状の外側表面部分が前記外側表面部分の中心を通る第１の軸を有し、
前記寛骨臼カップが、自然大腿骨骨頭又は人工大腿骨骨頭を受け入れる開口を有する部分的球形状の内側表面部分を含むソケットを備え、
前記ソケットが、前記部分的球形状の内側表面部分の中心を通る第２の軸を有し、
前記第１及び第２の軸は、前記第２の軸を前記第１の軸に対して第１の方向にオフセットさせるように平行になっており、
前記寛骨臼カップが、前記ソケットの内側表面部分における開口の周囲の部分から前記略半球形状の外側表面部分に向かうと共に前記第１の方向と異なっている第２の方向にて、外方に延びる縁部分の表面を備え、
前記縁部分の表面が、前記第１及び第２の軸に対して９０度ではない角度にて外方に延びており、
複数の非平行の開口孔が、前記縁部分の表面及び前記略半球形状の外側表面部分の両方を通るように延びており、
前記ソケット及び前記縁部分の表面の全体が前記略半球形状の外側表面部分の内側に位置しており、
前記縁部分における複数の開口孔の１つを通って延びるように、少なくとも１つの骨ネジが配置可能に構成されている、人工関節システム。
【請求項１６】
前記縁部分が第１の平坦部を有している、請求項１５に記載の人工関節システム。
【請求項１７】
前記縁部分が、前記第１の平坦部に対して非平行の平面上に横たわる第２の平坦部を有している、請求項１６に記載の人工関節システム。
【請求項１８】
前記縁部分における第１及び第２の平坦部の両方が、それらを通る開口孔を有している、請求項１７に記載の人工関節システム。
【請求項１９】
前記第１の平坦部が、前記部分的球形状の内側表面部分における開口の周囲と交わる平面に対して所定の角度を成して延びている、請求項１６に記載の人工関節システム。
【請求項２０】
前記所定の角度が、前記部分的球形状の外側表面部分における極の領域に向かうように配向された鋭角となっている、請求項１９に記載の人工関節システム。
【請求項２１】
寛骨臼カップの外周を画定する略半球形状の外側表面部分を有する寛骨臼カップを備え、
前記寛骨臼カップが、自然大腿骨部品又は人工大腿骨部品を受け入れるように構成された部分的球形状の内側軸受表面部分を有し、
前記部分的球形状の内側軸受表面部分が、前記略半球形状の外側表面部分の外周に対して前記寛骨臼カップ内でズレて配置されており、
前記内側軸受表面部分の内周及び前記外側表面部分の外周間における最大間隔を含む領域にて、前記内側軸受表面部分の内周の部分における開口から前記外側表面部分の外周に向かって延びる縁部分が設けられ、
前記縁部分及び前記略半球形状の外側表面部分を通るように非平行な軸に沿って延びる少なくとも２つの開口孔が設けられている、人工関節システム。
【請求項２２】
前記縁部分が、前記部分的球形状の内側軸受表面部分の中心を通ると共に前記部分的球形状の内側軸受表面部分の内周を含む平面に対して垂直に位置する軸に対して９０度ではない角度にて延びている、請求項２１に記載の人工関節システム。
【請求項２３】
前記縁部分が第１の平坦部を有している、請求項２１に記載の人工関節システム。
【請求項２４】
前記縁部分が、前記第１の平坦部に対して非平行の平面上に横たわる第２の平坦部を有している、請求項２３に記載の人工関節システム。
【請求項２５】
前記縁部分における第１及び第２の平坦部の両方が、それらを通る開口孔を有している、請求項２４に記載の人工関節システム。
【請求項２６】
前記第１の平坦部が、前記部分的球形状の内側軸受表面部分における開口の周囲と交わる平面に対して所定の角度を成して延びている、請求項２１に記載の人工関節システム。
【請求項２７】
前記所定の角度が、前記部分的球形状の外側表面部分における極の領域に向かうように配向された鋭角となっている、請求項２１に記載の人工関節システム。